(57)【特許請求の範囲】
【請求項１】
蒸気を発生する蒸気発生装置と、
上記蒸気発生装置から供給される蒸気によって被加熱物を加熱するための加熱室と、
上記蒸気発生装置によって発生された蒸気を吸引口から吸引すると共に、吹き込み口から吹き込まれる気体によって吹出口から吹き出す蒸気吸引エジェクタと、
一端が上記蒸気吸引エジェクタの吹出口に接続される一方、他端が上記加熱室の天板に設けられた吹出穴内に位置して、上記蒸気吸引エジェクタの吹出口からの蒸気を上記加熱室の天板における上記吹出穴内から上記加熱室内に噴射する蒸気噴射管と、
上記蒸気吸引エジェクタの吹き込み口に気体を吹き込むファンと、
上記蒸気発生装置で発生した蒸気を上記蒸気噴射管によって上記加熱室内に断続的に塊状として噴射するように、上記ファンに対して回転と停止とを交互に繰り返す断続運転を行うファン制御部と
を備えたことを特徴とする加熱調理器。
【請求項２】
請求項１に記載の加熱調理器において、
上記ファン制御部の制御によって上記断続運転を行う際における上記ファンの停止時間は、上記蒸気発生装置から上記蒸気吸引エジェクタを経由して蒸気噴射管の噴射口に至る経路内に上記蒸気発生装置からの蒸気が充満できる時間であることを特徴とする加熱調理器。
【請求項３】
請求項２に記載の加熱調理器において、
上記ファン制御部の制御によって上記断続運転を行う際における上記ファンの回転時間は、上記経路内の気体量に相当する風量を送風できる時間であることを特徴とする加熱調理器。
【請求項４】
請求項１に記載の加熱調理器において、
上記ファン制御部は、上記ファンを連続して回転する連続運転と上記断続運転とを切り換え可能になっており、
上記ファン制御部は、先に上記ファンに対して上記断続運転を行い、上記加熱室内の温度が所定の設定温度に至ると上記連続運転に切り換えるようになっている
ことを特徴とする加熱調理器。
【発明の詳細な説明】
【技術分野】
【０００１】
この発明は、蒸気を用いて食品の加熱調理を行う加熱調理器に関する。
【背景技術】
【０００２】
従来、蒸気を用いて食品などの被加熱物の加熱調理を行う加熱調理器として、調理ケース内に蒸気を噴射する蒸気調理装置がある(例えば、実用登録第２５１５０３３号公報(特許文献１)参照)。この蒸気調理装置は、調理ケースの内部に蒸気噴射ノズル部を有する蒸気供給管を配し、蒸気発生手段からの蒸気を、蒸気供給管を介して、上記蒸気噴射ノズル部から食品トレイ内の食品に向けて噴射するようにしている。
【０００３】
しかしながら、上記従来の蒸気調理装置は、調理ケースの内部に蒸気噴射ノズル部を有する蒸気供給管が露出しているため、特に家庭用の調理器具としては清掃性や使用性が悪いという問題がある。さらに、蒸気は、１本の管の下部に一列に穴を配置した蒸気噴射ノズル部から食品トレイ内に向けて噴き出すだけであるから、例えば茶碗１杯の御飯を温める場合ように少量の食品を加熱する場合には、食品に対して集中して蒸気を噴射できず蒸気温度が低下し、加熱効率が悪いと言う問題がある。
【０００４】
さらに、上記蒸気の噴射は、上記蒸気噴射ノズル部から定圧での圧送による噴射であるため、上記調理ケース内に噴射された蒸気の温度は低下する。そのために、上記調理ケース内の温度が上がらないと食品の温度も上がらず、食品の加熱に時間が掛かると言う問題もある。
【特許文献１】実用登録第２５１５０３３号公報
【発明の開示】
【発明が解決しようとする課題】
【０００５】
そこで、この発明の課題は、食品を非過熱蒸気で加熱する際に効率よく短時間に加熱することができる加熱調理器を提供することにある。
【課題を解決するための手段】
【０００６】
上記課題を解決するため、この発明の加熱調理器は、
蒸気を発生する蒸気発生装置と、
上記蒸気発生装置から供給される蒸気によって被加熱物を加熱するための加熱室と、
上記蒸気発生装置によって発生された蒸気を吸引口から吸引すると共に、吹き込み口から吹き込まれる気体によって吹出口から吹き出す蒸気吸引エジェクタと、
一端が上記蒸気吸引エジェクタの吹出口に接続される一方、他端が上記加熱室の天板に設けられた吹出穴内に位置して、上記蒸気吸引エジェクタの吹出口からの蒸気を上記加熱室の天板における上記吹出穴内から上記加熱室内に噴射する蒸気噴射管と、
上記蒸気吸引エジェクタの吹き込み口に気体を吹き込むファンと、
上記蒸気発生装置で発生した蒸気を上記蒸気噴射管によって上記加熱室内に断続的に塊状として噴射するように、上記ファンに対して回転と停止とを交互に繰り返す断続運転を行うファン制御部と
を備えたことを特徴としている。
【０００７】
上記構成によれば、加熱室内の被加熱物が、蒸気吸引エジェクタの吹出口に一端が接続された蒸気噴射管により上記加熱室の天板における吹出穴内から噴射される蒸気によって加熱される。その際に、蒸気吸引エジェクタの吹き込み口に気体を吹き込むファンを、ファン制御部によって、蒸気発生装置で発生した蒸気を上記蒸気噴射管により上記加熱室内に断続的に塊状として噴射するように、断続運転している。したがって、上記ファンが停止している期間に、蒸気発生装置から上記蒸気吸引エジェクタを経由して上記蒸気噴射管の噴射口に至る蒸気経路内に充満した蒸気を、上記ファンが回転した際に上記蒸気噴射管から上記加熱室内の被加熱物に噴射することができる。
【０００８】
こうして、上記ファンを断続運転することによって、上記蒸気経路内に充満した蒸気を塊状として上記被加熱物に繰り返し直接噴射することができ、熱い蒸気で直接被加熱物を加熱することができる。したがって、上記加熱室内の温度が設定温度まで上昇するのを待たずに上記被加熱物を所定の温度に加熱することができる。
【０００９】
また、１実施の形態の加熱調理器では、
上記ファン制御部の制御によって上記断続運転を行う際における上記ファンの停止時間は、上記蒸気発生装置から上記蒸気吸引エジェクタを経由して蒸気噴射管の噴射口に至る経路内に上記蒸気発生装置からの蒸気が充満できる時間である。
【００１０】
この実施の形態によれば、上記ファンを断続運転する際に、上記経路内に蒸気が充満できる時間だけ上記ファンを停止するので、次に上記ファンが回転した場合に、大きな塊状の蒸気を上記被加熱物に噴射することができる。したがって、上記被加熱物の加熱効率を高めることができる。
【００１１】
また、１実施の形態の加熱調理器では、
上記ファン制御部の制御によって上記断続運転を行う際における上記ファンの回転時間は、上記経路内の気体量に相当する風量を送風できる時間である。
【００１２】
この実施の形態によれば、上記ファンを断続運転する際に、上記経路内の気体量に相当する風量を送風できる時間だけ上記ファンを回転するので、次に上記ファンが停止するまでに上記経路内の総ての蒸気を排出することができる。したがって、上記経路に対する蒸気の供給および排出を効率よく行うことができ、上記被加熱物の加熱効率を高めることができる。
【００１３】
また、１実施の形態の加熱調理器では、
上記ファン制御部は、上記ファンを連続して回転する連続運転と上記断続運転とを切り換え可能になっており、
上記ファン制御部は、先に上記ファンに対して上記断続運転を行い、上記加熱室内の温度が所定の設定温度に至ると上記連続運転に切り換えるようになっている。
【００１４】
この実施の形態によれば、上記加熱室内の温度が所定の設定温度に至った場合に上記ファンの運転を上記連続運転に切り換えることによって、上記被加熱物を安定した動作で加熱することができる。
【発明の効果】
【００１５】
以上より明らかなように、この発明の加熱調理器は、加熱室内の被加熱物を、蒸気吸引エジェクタの吹出口に一端が接続された蒸気噴射管により上記加熱室の天板における吹出穴内から噴射される蒸気によって加熱する際に、蒸気吸引エジェクタの吹き込み口に気体を吹き込むファンを、ファン制御部によって、蒸気発生装置で発生した蒸気を上記蒸気噴射管により上記加熱室内に断続的に塊状として噴射するように、断続運転するので、上記ファンの停止時に上記蒸気発生装置から上記蒸気吸引エジェクタを経由して上記蒸気噴射管の噴射口に至る経路内に充満した蒸気が、塊状として上記被加熱物に繰り返し直接噴射される。したがって、熱い蒸気で直接被加熱物を加熱することができ、上記加熱室内の温度が設定温度まで上昇するのを待たずに上記被加熱物を所定の温度に加熱することができる。
【発明を実施するための最良の形態】
【００１６】
以下、この発明を図示の実施の形態により詳細に説明する。
【００１７】
図１は、本実施の形態の加熱調理器における外観斜視図である。本加熱調理器１は、直方体形状のキャビネット１０の正面の上部に操作パネル１１を設け、キャビネット１０の正面における操作パネル１１の下側には、下端側の辺を中心に回動する扉１２を設けて概略構成されている。そして、扉１２の上部にはハンドル１３が設けられ、扉１２には耐熱ガラス製の窓１４が嵌め込まれている。
【００１８】
図２は、上記加熱調理器１の扉１２を開いた状態の外観斜視図である。キャビネット１０内に、直方体形状の加熱室２０が設けられている。加熱室２０は、扉１２に面する正面側に開口部２０aを有し、加熱室２０の側面,底面および天面がステンレス鋼板で形成されている。また、扉１２は、加熱室２０に面する側がステンレス鋼板で形成されている。加熱室２０の周囲および扉１２の内側に断熱材(図示せず)が載置されており、加熱室２０内と外部とが断熱されている。
【００１９】
また、上記加熱室２０の底面には、ステンレス製の受皿２１が設置され、受皿２１上には、被加熱物を載置するためのステンレス鋼線製のラック２４(図３参照)が設置される。さらに、加熱室２０の両側面下部には、略水平に延在する略長方形の側面蒸気吹出口２２(図２では一方のみが見えている)が設けられている。
【００２０】
図３は、上記加熱調理器１の基本構成を示す概略構成図である。図３に示すように、本加熱調理器１は、加熱室２０と、蒸気用の水を貯める水タンク３０と、水タンク３０から供給された水を蒸発させて蒸気を発生させる蒸気発生装置４０と、蒸気発生装置４０からの蒸気を加熱する蒸気昇温装置５０と、蒸気発生装置４０や蒸気昇温装置５０等の動作を制御する制御装置８０とを備えている。
【００２１】
上記加熱室２０内に設置された受皿２１上には格子状のラック２４が載置され、そのラック２４の略中央に被加熱物９０が置かれる。
【００２２】
また、上記水タンク３０の下側に設けられた接続部３０aは、第１給水パイプ３１の一端に設けられた漏斗形状の受入口３１aに接続可能になっている。そして、第１給水パイプ３１から分岐して上方に延びる第２給水パイプ３２の端部にはポンプ３５の吸込側が接続され、そのポンプ３５の吐出側には第３給水パイプ３３の一端が接続されている。さらに、第１給水パイプ３１から分岐して上方に延びる水位センサ用パイプ３８の上端には、水タンク用水位センサ３６が配設されている。さらに、第１給水パイプ３１から分岐して上方に延びる大気開放用パイプ３７の上端には、後述する排気ダクト６５に接続されている。
【００２３】
そして、上記第３給水パイプ３３は、垂直に配置された部分から略水平に屈曲するＬ字形状をしており、第３給水パイプ３３の他端には補助タンク３９が接続されている。さらに、補助タンク３９の下端には第４給水パイプ３４の一端が接続され、その第４給水パイプ３４の他端には蒸気発生装置４０の下端が接続されている。また、蒸気発生装置４０における第４給水パイプ３４の接続点よりも下側には、排水バルブ７０の一端が接続されている。そして、排水バルブ７０の他端には排水パイプ７１の一端が接続され、排水パイプ７１の他端には排水タンク７２が接続されている。尚、補助タンク３９の上部は、大気開放用パイプ３７と排気ダクト６５を介して大気に連通されている。
【００２４】
上記水タンク３０が第１給水パイプ３１の受入口３１aに接続されると、水タンク３０内の水は、水タンク３０と同水位になるまで大気開放用パイプ３７内に上昇する。その際に、水タンク用水位センサ３６につながる水位センサ用パイプ３８は先端が密閉されているため水位は上がらないが、水タンク３０の水位に応じて水位センサ用パイプ３８の密閉された空間の圧力は大気圧から上昇する。この圧力変化を、水タンク用水位センサ３６内の圧力検出素子(図示せず)で検出することによって、水タンク３０内の水位が検出されるようになっている。ポンプ３５が静止中である際の水位測定では、大気開放用パイプ３７は不要であるが、ポンプ３５の吸引圧力が直接上記圧力検出素子に働いて水タンク３０の水位検出の精度が低下するのを防止するために、開放端を有する大気開放用パイプ３７を設けている。
【００２５】
また、上記蒸気発生装置４０は、下側に第４給水パイプ３４の他端が接続されたポット４１と、ポット４１内の底面近傍に配置された蒸気発生ヒータ４２と、ポット４１内の蒸気発生ヒータ４２の上側近傍に配置された水位センサ４３と、ポット４１の上側に取り付けられた蒸気吸引エジェクタ４４とを有している。また、加熱室２０の側面上部に設けられた吸込口２５の外側には、ファンケーシング２６を配置している。そして、ファンケーシング２６に設置された送風ファン２８によって、加熱室２０内の蒸気は、吸込口２５から吸い込まれて、第１パイプ６１および第２パイプ６２を介して蒸気発生装置４０の蒸気吸引エジェクタ４４の入口側に送り込まれる。第１パイプ６１は、略水平に配置されており、一端がファンケーシング２６に接続されている。また、第２パイプ６２は、略垂直に配置されており、一端が第１パイプ６１の他端に接続される一方、他端が蒸気吸引エジェクタ４４のインナーノズル４５の入口側に接続されている。
【００２６】
上記蒸気吸引エジェクタ４４は、インナーノズル４５の外側を包み込むアウターノズル４６を備えており、インナーノズル４５の吐出側がポット４１の内部空間と連通するようになっている。そして、蒸気吸引エジェクタ４４のアウターノズル４６の吐出側には第３パイプ６３の一端が接続され、その第３パイプ６３の他端には蒸気昇温装置５０が接続されている。
【００２７】
上記ファンケーシング２６,第１パイプ６１,第２パイプ６２,蒸気吸引エジェクタ４４,第３パイプ６３および蒸気昇温装置５０で外部循環路６０を形成している。また、加熱室２０の側面の下側に設けられた放出口２７には放出通路６４の一端が接続され、放出通路６４の他端には排気ダクト６５の一端が接続されている。さらに、排気ダクト６５の他端には排気口６６が設けられている。蒸気放出通路６４の排気ダクト６５側には、ラジエータ６９が外嵌して取り付けられいる。そして、外部循環路６０を形成する第１パイプ６１,第２パイプ６２との接続部には、排気通路６７を介して排気ダクト６５が接続されている。さらに、排気通路６７における第１,第２パイプ６１,６２の接続側には、排気通路６７を開閉するダンパ６８が配置されている。
【００２８】
また、上記蒸気昇温装置５０は、加熱室２０の天井側であって且つ略中央に、開口を下側にして配置された皿型ケース５１と、この皿型ケース５１内に配置された蒸気加熱ヒータ５２を有している。皿型ケース５１の底面は、加熱室２０の天井面に設けられた金属製の天井パネル５４で形成されている。天井パネル５４には、複数の天井蒸気吹出口５５が形成されている。ここで、天井パネル５４は、上下両面が塗装等によって暗色に仕上げられている。尚、使用を重ねることにより暗色に変色する金属素材や暗色のセラミック成型品によって、天井パネル５４を形成してもよい。
【００２９】
さらに、上記蒸気昇温装置５０は、加熱室２０の上部に、左右両側に向かって延在する上記過熱蒸気供給路としての蒸気供給通路２３(図３においては一方のみが見えている)の一端が夫々接続されている。そして、蒸気供給通路２３は加熱室２０の両側面に沿って下方向かって延在しており、その他端には、上記加熱室２０の両側面下側に設けられた側面蒸気吹出口２２に接続されている。
【００３０】
次に、本加熱調理器１の制御系について説明する。
【００３１】
制御装置８０は、マイクロコンピュータおよび入出力回路等から構成され、図４に示すように、送風ファン２８と、蒸気加熱ヒータ５２と、ダンパ６８と、排水バルブ７０と、蒸気発生ヒータ４２と、操作パネル１１と、水タンク用水位センサ３６と、水位センサ４３と、加熱室２０(図３に示す)内の温度を検出する温度センサ８１と、加熱室２０内の湿度を検出する湿度センサ８２と、ポンプ３５とが、接続されている。そして、水タンク用水位センサ３６,水位センサ４３,温度センサ８１および湿度センサ８２からの検出信号に基づいて、送風ファン２８,蒸気加熱ヒータ５２,ダンパ６８,排水バルブ７０,蒸気発生ヒータ４２,操作パネル１１およびポンプ３５を所定のプログラムに従って制御する。
【００３２】
以下、上記構成を有する加熱調理器１の基本動作について、図３および図４に従って説明する。操作パネル１１の電源スイッチ(図示せず)が押圧されると電源がオンし、操作パネル１１の操作によって加熱調理の運転が開始される。そうすると、先ず、制御装置８０は、排水バルブ７０を閉鎖し、ダンパ６８によって排気通路６７を閉じた状態でポンプ３５の運転を開始する。そして、ポンプ３５によって、水タンク３０から蒸気発生装置４０のポット４１内に第１〜第４給水パイプ３１〜３４を介して給水される。その後、ポット４１内の水位が所定水位に達したことを水位センサ４３が検出すると、ポンプ３５を停止して給水を止める。
【００３３】
次に、上記蒸気発生ヒータ４２に通電し、ポット４１内に溜まった所定量の水を蒸気発生ヒータ４２によって加熱する。
【００３４】
そして、上記蒸気発生ヒータ４２の通電と同時に、または、ポット４１内の水の温度が所定温度に達すると、送風ファン２８をオンすると共に、蒸気昇温装置５０の蒸気加熱ヒータ５２に通電する。そうすると、送風ファン２８は、加熱室２０内の気体(蒸気を含む)を吸込口２５から吸い込み、外部循環路６０に気体(蒸気を含む)を送り出す。その際に、送風ファン２８に遠心ファンを用いているので、プロペラファンを用いる場合に比べて高圧を発生させることができる。さらに、送風ファン２８に用いる遠心ファンを直流モータで高速回転させることによって、循環気流の流速を極めて速くすることができる。
【００３５】
次に、上記蒸気発生装置４０のポット４１内の水が沸騰すると飽和蒸気が発生し、発生した飽和蒸気は、蒸気吸引エジェクタ４４の箇所で外部循環路６０を通る循環気流に合流する。そして、蒸気吸引エジェクタ４４から出た蒸気は、第３パイプ６３を介して高速で蒸気昇温装置５０に流入する。
【００３６】
そして、上記蒸気昇温装置５０に流入した蒸気は、蒸気加熱ヒータ５２によって加熱されて、略３００℃(調理内容により異なる)の過熱蒸気となる。この過熱蒸気の一部は、下側の天井パネル５４に設けられた複数の天井蒸気吹出口５５から加熱室２０内の下方に向かって噴出される。また、過熱蒸気の他の一部は、蒸気昇温装置５０の左右両側に設けられた蒸気供給通路２３を介して、加熱室２０の両側面の側面蒸気吹出口２２から噴出される。
【００３７】
こうして、上記加熱室２０の天井側から噴出した過熱蒸気が中央の被加熱物９０側に向かって勢いよく供給されると共に、加熱室２０の左右の側面側から噴出した過熱蒸気は、受皿２１に衝突した後、被加熱物９０の下方から被加熱物９０を包むように上昇しながら供給される。その結果、加熱室２０内において、中央部では吹き下ろし、その外側では上昇するという形の対流が生じる。そして、対流する蒸気は、順次吸込口２５に吸い込まれて、外部循環路６０を通って再び加熱室２０内に戻るという循環を繰り返す。
【００３８】
このようにして、上記加熱室２０内で過熱蒸気の対流を形成することにより、加熱室２０内の温度・湿度分布を均一に維持しつつ、蒸気昇温装置５０からの過熱蒸気を天井蒸気吹出口５５と側面吹出口２２とから噴出して、ラック２４上に載置された被加熱物９０に効率よく衝突させることが可能になり、過熱蒸気の衝突によって被加熱物９０が加熱される。その場合、被加熱物９０の表面に接触した過熱蒸気は、被加熱物９０の表面で結露する際に潜熱を放出することによっても被加熱物９０を加熱する。これにより、過熱蒸気の大量の熱を確実に且つ速やかに被加熱物９０全面に均等に与えることができる。したがって、斑がなくて仕上がりのよい加熱調理を実現することができるのである。
【００３９】
また、上記加熱調理運転時において、時間が経過すると、加熱室２０内の蒸気量が増加し、量的に余剰となった分の蒸気は、放出口２７から放出通路６４および排気ダクト６５を介して排気口６６から外部に放出される。その際に、放出通路６４に設けたラジエータ６９によって放出通路６４を通過する蒸気を冷却して結露させることにより、外部に蒸気がそのまま放出されるのを防止している。尚、ラジエータ６９によって放出通路６４内で結露した水は、放出通路６４内を流れ落ちて受皿２１に導かれ、調理によって発生した水と共に調理終了後に処理される。
【００４０】
調理終了後、上記制御装置８０によって操作パネル１１に調理終了のメッセージが表示され、さらに操作パネル１１に設けられたブザー(図示せず)によって合図の音を鳴らす。これらのメッセージやブザーによって調理終了を知った使用者が扉１２を開けると、制御装置８０は、センサ(図示せず)によって扉１２が開いたことを検知して、排気通路６７のダンパ６８を瞬時に開く。そうすると、外部循環路６０の第１パイプ６１が排気通路６７を介して排気ダクト６５に連通し、加熱室２０内の蒸気は、送風ファン２８によって、吸込口２５,第１パイプ６１,排気通路６７および排気ダクト６５を介して排気口６６から排出される。このダンパ動作は、調理中に使用者が扉１２を開いても同様に機能する。したがって、使用者は、蒸気にさらされることなく、安全に被加熱物９０を加熱室２０内から取り出すことができるのである。
【００４１】
ところで、上述したように、本加熱調理器１の加熱原理は、１００℃以上の過熱蒸気を被加熱物９０の表面に供給し、過熱蒸気の凝縮潜熱によって被加熱物９０に大量の熱エネルギーを供給することである。つまり、被加熱物９０の表面温度が１００℃以下であり、噴き付ける蒸気が１００℃以上の過熱蒸気である場合に、被加熱物９０の表面に付着した過熱蒸気が凝縮して凝縮潜熱を被加熱物９０に与えると共に、凝縮で発生した１００℃の水(湯)が被加熱物９０の中に浸透して内部温度を上昇させるのである。
【００４２】
しかしながら、茶碗１杯の御飯を暖める場合には、上述した本加熱調理器１の加熱原理をそのまま適用することができないのである。すなわち、御飯１粒１粒は小さい形をしている。したがって、御飯に過熱蒸気を与えてやると、結果として１粒１粒に大量の熱を与えることになり、御飯粒の表面が直に１００℃を超えてしまうことになる。ところが、御飯粒の表面が１００℃を超えてしまうと、過熱蒸気が御飯粒の表面で凝縮・蒸発を繰り返すことになり、結果として凝縮することができなくなる。したがって、御飯粒の表面は１００℃を超えるため乾燥して堅くなってしまうのに対して、御飯粒内に１００℃の凝縮水(湯)を浸透させることができず(つまり、中まで熱が伝わり難く)、適性温度と言われる６０℃〜７０℃になるまで７分位掛ることになる。
【００４３】
以上のことから、御飯を温める場合には、蒸気を加熱せずに、温度が８０℃〜９０℃の蒸気を噴き出した方が暖め時間が早くなるのである。そこで、本実施の形態においては、蒸気昇温装置５０および蒸気吸引エジェクタ４４に以下のような工夫を凝らして、御飯を温める場合のような少量の食品であっても塊状の表面積が大きい食品であっても効率よく加熱することができるようにしている。
【００４４】
以下、この実施の形態の特徴である上記蒸気昇温装置５０および蒸気吸引エジェクタ４４について、図５および図６に従って、さらに詳細に説明する。図５(a)は蒸気昇温装置５０を下側から見た平面図であり、図５(b)は蒸気昇温装置５０を蒸気供給口側から見た側面図である。蒸気昇温装置５０は、図５(a)および図５(b)に示すように、平面形状が略五角形の凹部５１aを有する皿形ケース５１内に、大電力(１０００Ｗ)の大管径のシーズヒータである蒸気加熱ヒータ５２を配置している。また、図５(a)および図５(b)では示していないが、皿形ケース５１の凹部５１aの開口は、加熱室２０の天井面に設けられた金属製の天井パネル５４で覆われている。
【００４５】
上記皿形ケース５１の側壁９１には、蒸気供給管９４Ａ,９４Ｂ,９４Ｃが接続されている。尚、この蒸気供給管９４Ａ,９４Ｂ,９４Ｃが接続された側壁９１側が本加熱調理器１の背面側であり、図３に示すように、蒸気供給管９４Ａ,９４Ｂ,９４Ｃは、本加熱調理器１における加熱室２０の背面側に設けられた蒸気吸引エジェクタ４４に、３本の第３パイプ６３を介して接続されている。また、９５Ａ,９５Ｂ,９５Ｃは蒸気供給管９４Ａ,９４Ｂ,９４Ｃの蒸気供給口であり、１０１Ａ〜１０４Ａおよび１０１Ｂ〜１０４Ｂは図３に示す蒸気供給通路２３が接続される蒸気吹出口である。
【００４６】
図６は、上記皿形ケース５１の中心線Ｌに沿った縦断面図である。皿形ケース５１の凹部５１a内において、中心線Ｌ上に配置されている蒸気供給管９４Ｂには、中心線Ｌに沿って水平に配置された蒸気噴射管１１１の一端が接続されている。そして、蒸気噴射管１１１の他端は、凹部５１aの略中央部で加熱室２０側に向かって屈曲されて、天井パネル５４の一部を構成する皿形ケース５１の蓋部材５４aにおける内面の極近傍に位置している。また、蓋部材５４aには、蒸気噴射管１１１の他端の開口１１１aを取り囲むように穴１１２が設けられている。
【００４７】
上記構成を有する蒸気昇温装置５０および蒸気吸引エジェクタ４４は、以下のように動作する。
【００４８】
(ａ）蒸し暖めモード
この「蒸し暖めモード」は、非過熱蒸気を用いて、少量の食品を蒸す,茹でる,暖めるモードである。したがって、上述した茶碗１杯の御飯を暖める場合は、この「蒸し暖めモード」によって行われる。尚、以下に述べる蒸気昇温装置５０および蒸気吸引エジェクタ４４の動作は、特に説明はしないが、例えば、利用者が「蒸し暖めモード」を選択することによって、制御装置８０の制御の下に実行される。
【００４９】
この場合には、上記蒸気加熱ヒータ５２への通電はオフされ、送風ファン２８は駆動され、蒸気供給口９５Ａ,９５Ｃに連通するインナーノズル４５の吹き込み口はダンパによって閉鎖され、蒸気供給口９５Ｂに連通するインナーノズル４５の吹き込み口は開放される。そうした後、利用者によって、例えば、上記御飯が盛られた茶碗が、ラック２４上における蒸気噴射管１１１の開口１１１aの直下に載置される。そして、上述したような手順によって、加熱調理が行われるのである。その場合は、蒸気加熱ヒータ５２には通電されないため、蒸気供給管９４Ｂから供給される蒸気は加熱されない。
【００５０】
そうすると、上記蒸気発生装置４０のポット４１内に発生した蒸気は、蒸気吸引エジェクタ４４におけるインナーノズル４５およびアウターノズル４６の機能によって、図６に示すように、中央の第３パイプ６３および蒸気供給管９４Ｂを介して高速に蒸気噴射管１１１に供給される。こうして、蒸気噴射管１１１に供給された８０℃〜９０℃の蒸気(非過熱蒸気)が開口１１１aから直下に向かって勢いよく噴き出され、被加熱物９０である１杯の御飯に噴き付けられるのである。
【００５１】
その場合、上述したように、単に送風ファン２８の定速回転による定圧圧送での噴射であると、加熱室２０内に噴射された蒸気の温度は低下するため、加熱室２０内の温度が上昇しないと被加熱物(１杯の御飯)９０の温度も上がらず、被加熱物(１杯の御飯)９０の加熱に時間が掛かってしまう。
【００５２】
そこで、本実施の形態においては、上記制御装置８０の制御によって、送風ファン２８の回転を断続的に行うのである。そうすることにより、送風ファン２８の回転を停止している間に、ポット４１から蒸気吸引エジェクタ４４のアウターノズル４６および第３パイプ６３を介して蒸気噴射管１１１の開口１１１aに至る経路内にポット４１からの非過熱蒸気が充満する。したがって、その後、送風ファン２８を回転させることによって、上記充満していた非過熱蒸気が塊状となって蒸気噴射管１１１の開口１１１aから被加熱物９０に直接噴き付けられることになる。このように、被加熱物９０としての茶碗１杯の御飯に対して塊状の非過熱蒸気を勢いよく繰り返して直接噴き付けることによって、熱い蒸気で直接御飯を加熱することができる。したがって、加熱室２０内の温度が設定温度まで上昇するのを待たずに、被加熱物９０を所定温度に暖めることができるのである。
【００５３】
尚、その場合における上記送風ファン２８の回転を停止する時間は、上述したポット４１から蒸気噴射管１１１の開口１１１aに至る経路内に非過熱蒸気が充満できる時間である。こうすることによって、送風ファン２８が回転した場合に、より大きな塊状の蒸気を被加熱物９０に噴射することができる。また、送風ファン２８を回転させる時間は、上述したポット４１から蒸気噴射管１１１の開口１１１aまでの気体量に相当する風量を送風できる時間である。こうすることによって、次に送風ファン２８が停止するまでに上記経路内の総ての蒸気を排出することができる。したがって、上記経路に対する蒸気の供給および排出を効率よく行うことができ、被加熱物９０の加熱効率を高めることができるのである。
【００５４】
また、上述のように、上記送風ファン２８の回転を断続的に行って被加熱物９０を暖めている際に、加熱室２０内の温度が「蒸し暖めモード」時の設定温度に至った場合には、送風ファン２８の断続運転を解除し、予め設定された回転数での連続運転(通常運転)に移行して安定した加熱動作を行うようにしている。
【００５５】
図７は、「蒸し暖めモード」時に実行される送風ファン２８の運転制御のフローチャートである。この運転制御によれば、加熱室２０内の温度が設定温度まで上昇するのを待たずに茶碗１杯の御飯を暖めることができ、３分位で、茶碗１杯の御飯を適性温度と言われる６０℃〜７０℃に暖めることができるのである。
【００５６】
尚、上記説明は、茶碗１杯の御飯の暖める場合を例に説明したが、「１杯」に限定されるものではないことは言うまでもない。また、「茹で」や「蒸す」等の調理も行えることは上述した通りである。
【００５７】
(ｂ）ウオーターオーブンモード
この「ウオーターオーブンモード」は、過熱蒸気を用いて、食品を加熱するモードである。この調理モードは、例えば、利用者がメニュー「ウオーターオーブンモード」を選択することによって、制御装置８０の制御の下に実行される。
【００５８】
この場合には、上記蒸気加熱ヒータ５２への通電はオンされ、送風ファン２８は駆動され、蒸気供給口９５Ｂに連通するインナーノズル４５の吹き込み口はダンパによって閉鎖され、蒸気供給口９５Ａ,９５Ｃに連通するインナーノズル４５の吹き込み口は開放される。そうした後、利用者によって、例えば、肉塊のような被加熱物９０がラック２４上に載置される。そして、上述したような手順によって、加熱調理が行われるのである。その場合、蒸気加熱ヒータ５２は通電されているため、蒸気供給管９４Ａ,９４Ｃから供給される蒸気を加熱して過熱蒸気を発生することができる。
【００５９】
そして、上記蒸気発生装置４０のポット４１内に発生した蒸気は、蒸気吸引エジェクタ４４におけるインナーノズル４５およびアウターノズル４６の機能によって、高速に第３パイプ６３を通って皿形ケース５１内に流れ込む。こうして、蒸気供給口９５Ａ,９５Ｃから皿形ケース５１内に供給された蒸気は、蒸気加熱ヒータ５２によって加熱されて過熱蒸気となり、蓋部材５４aの天井蒸気吹出口５５から加熱室２０内に噴き出される。こうして、加熱室２０内の過熱蒸気は加熱調理に応じた温度(例えば略３００℃)となるのである。尚、皿形ケース５１内の過熱蒸気の一部は、蒸気吹出口１０１Ａ〜１０４Ａおよび１０１Ｂ〜１０４Ｂから、蒸気供給通路２３(図３に示す)を介して加熱室２０内に噴き出されることは、上述した通りである。
【００６０】
以上のごとく、本実施の形態においては、上記「蒸し暖めモード」時において、制御装置８０の制御によって、送風ファン２８の回転を断続的に行うようにしている。したがって、ポット４１から蒸気吸引エジェクタ４４のアウターノズル４６および第３パイプ６３を介して蒸気噴射管１１１の開口１１１aに至る経路内に充満した非過熱蒸気を、塊状として被加熱物９０に勢いよく繰り返して噴き付けることができ、加熱室２０内の温度が設定温度まで上昇するのを待たずに被加熱物９０を短時間に暖めることができるのである。
【００６１】
尚、上記実施の形態においては、上記蒸気昇温装置５０を備えて、３００℃程度の過熱蒸気を用いて食品を加熱する「ウオーターオーブンモード」を可能にしている。しかしながら、この発明は、蒸気昇温装置５０が無く、非過熱蒸気のみによって食品を加熱する構成にも適用できることは言うまでもない。
【図面の簡単な説明】
【００６２】
【図１】この発明の加熱調理器における外観斜視図である。
【図２】図１に示す加熱調理器の扉を開いた状態の外観斜視図である。
【図３】図１に示す加熱調理器の概略構成図である。
【図４】図１に示す加熱調理器の制御ブロック図である。
【図５】図３における蒸気昇温装置の下側から見た平面図および蒸気供給口側から見た側面図である。
【図６】図５における皿形ケースの中心線に沿った縦断面図である。
【図７】送風ファンの運転制御のフローチャートである。
【符号の説明】
【００６３】
１…加熱調理器、
２０…加熱室、
２３…蒸気供給通路、
４０…蒸気発生装置、
４４…蒸気吸引エジェクタ、
５０…蒸気昇温装置、
５１…皿形ケース、
５１a…凹部、
５２…蒸気加熱ヒータ、
６０…外部循環路、
８０…制御装置、
１１１…蒸気噴射管、
１１１a…開口、
１１２…穴。
【図１】
0004563270.tif 000002
【図２】
0004563270.tif 000003
【図３】
0004563270.tif 000004
【図４】
0004563270.tif 000005
【図５】
0004563270.tif 000006
【図６】
0004563270.tif 000007
【図７】
0004563270.tif 000008